(57)【要約】【課題】安価でありながら低トルク効果が付与できる保持器およびこのような保持器を組込んだ玉軸受（深溝玉軸受）を提供する。【解決手段】円周方向に沿って所定間隔で配設された半球状膨出部２６を有する２枚の環状保持板２７Ａ、２７Ｂが組み合わされてなり、対向する半球状膨出部２６，２６にてボール１６を保持するリング状のポケット３０が形成される保持器である。ポケット３０のボール対向面におけるポケット軸方向中央部に、ポケット周方向に延びる凹部３４からなるボール非接触部３２を設け、ボール非接触部３２のポケット周方向長さをＡとし、ボールの直径をＢとし、ボール１６とポケット３０のボール対向面との間に形成されるすきまをＣとしたときに、Ａ／（Ｂ＋Ｃ）＝０．７０〜０．９０に設定した。【選択図】図２
2013200008.tif 000002
【特許請求の範囲】
【請求項１】
円周方向に沿って所定間隔で配設された半球状膨出部を有する２枚の環状保持板が組み合わされてなり、対向する半球状膨出部にてボールを保持するリング状のポケットが形成される保持器であって、
ポケットのボール対向面におけるポケット軸方向中央部に、ポケット周方向に延びる凹部からなるボール非接触部を設け、このボール非接触部のポケット周方向長さをＡとし、前記ボールの直径をＢとし、ボールとポケットのボール対向面との間に形成されるすきまをＣとしたときに、Ａ／（Ｂ＋Ｃ）＝０．７０〜０．９０に設定したことを特徴とする保持器。
【請求項２】
ボール非接触部のポケット軸方向長さをＤとし、ポケットの軸方向全長さをＥとしたときに、Ｄ／Ｅ＝０．２５〜０．４０に設定したことを特徴とする請求項１に記載の保持器。
【請求項３】
ボール非接触部を構成する凹部の深さをＦとし、環状保持板の半球状膨出部の肉厚をＧとしたときに、Ｆ／Ｇ＝０．３０〜０．４０に設定したことを特徴とする請求項１又は請求項２に記載の保持器。
【請求項４】
ポケットの軸方向全長さをＥとし、ボール中心に対するボール非接触部の中央の軸方向ずれ量をＨとしたきに、Ｈ／（Ｅ／２）＝０〜０．２に設定したことを特徴とする請求項１〜請求項３のいずれか１項に記載の保持器。
【請求項５】
ボール非接触部を構成する凹部のポケット軸方向開口縁をアール形状としたことを特徴とする請求項１〜請求項４のいずれか１項に記載の保持器。
【請求項６】
前記ボール非接触部を全ポケットに設けたことを特徴とする請求項１〜請求項５のいずれか１項に記載の保持器。
【請求項７】
金属製であってプレス加工に成型されてなることを特徴とする請求項１〜請求項６のいずれか１に記載の保持器。
【請求項８】
内周に外側転走面が形成された外輪と、外周に内側転走面が形成された内輪と、内側転走面と外側転走面との間を転動する複数のボールと、内輪と外輪との間に配置された請求項１〜請求項７のいずれか１項に記載の保持器とを備えたことを特徴とする玉軸受。
【請求項９】
自動車の動力伝達軸の支持用に適用されることを特徴とする請求項８に記載の玉軸受。
【請求項１０】
２輪車に用いられる軸の支持用に適用されることを特徴とする請求項８に記載の玉軸受。
【発明の詳細な説明】
【技術分野】
【０００１】
本発明は、保持器および玉軸受に関する。
【背景技術】
【０００２】
省エネルギー政策の一環として、自動車についても省燃費の要求がさらに高まっている。この中で、自動車メーカから、自動車用トランスミッションやデファレンシャルを支持する軸受に関して、省燃費化のために低トルク化の要求が高まっている。また、省燃費化への対応の一つとして、これまで円すいころ軸受が使われていた箇所について、円すいころ軸受よりもトルクが低い玉軸受への変更（軸受形式変更）が挙げられる。
【０００３】
従来の一般的な玉軸受（深溝玉軸受）は、図８に示すように、内周に円弧状の外側転走面１が形成された外輪２と、外周にこの外側転走面１に対向する円弧状の内側転走面３が形成された内輪４と、内輪４と外輪２との間に配置された保持器５と、保持器５にて転動自在に支持される複数のボールＢｏとを備える。
【０００４】
保持器５は、図９に示すように、円周方向に沿って所定間隔で配設された半球状膨出部６を有する２枚の環状保持板７，７が組み合わされてなる。すなわち、各環状保持板７は、円周方向に沿って配設される前記半球状膨出部６と、隣合う半球状膨出部６間の平坦部８とからなる。組み合わされた状態で、平坦部８、８が重ね合わされ、この平坦部８、８がリベット等の固着具９を介して連結される。このため、各半球状膨出部６、６が対向して、リング状のボール嵌合部（ポケット）１０が形成される。
【０００５】
近年では、省燃費化の要求により、元来トルクが低い玉軸受についても、更なる低トルク化が望まれている。ところが、低トルク化を目的に、内部諸元の変更（ボール個数を少なく、ボールと保持器案内面との接触面積を小さくする等）による低トルク化は可能であるが、接触面圧過大や寿命低下など軸受機能への影響がある。しかも、大幅な保持器形状の変更を伴うと、新規金型が必要になりコスト高の要因となる。従って、標準仕様の軸受から軸受内部諸元の変更及び、保持器の大幅な形状変更は好ましくない。
【０００６】
ここで、深溝玉軸受のトルクに占める各トルク要因の割合を確認すると、ボールと案内面（内外輪の転走面）との接触による転がりトルク（２６％）、ボールとポケット案内面（保持器のボール接触部）との接触による油のせん断トルク抵抗（７１％）、その他（３％）となる。したがって、トルク割合の大きいポケット案内面とボールとの接触による油のせん断トルクを低減させることが、低トルク化には効果的である。
【０００７】
前記トルク要因の割合の確認に用いた軸受は、内径φ３５ｍｍ、外径φ７２ｍｍ、幅１７ｍｍ（ＮＴＮ社製：軸受番号６２０７）である。また、使用する保持器の材質は鉄とした。実験条件として、ラジアル荷重を５００Ｎとし、回転速度を４０００ｒ／ｍｉｎとし、潤滑油種をＡＴＦとし、潤滑条件を噴霧または跳ね掛けとした。
【０００８】
ところで、ポケット案内面（保持器のボール接触部）と鋼球（ボール）との接触による油のせん断トルクを低減させるためには、単純にはその接触面積を減らせばよい。従来には、ポケット案内面（保持器のボール接触部）とボールとの接触面積を減らすようにしたものがある（特許文献１および特許文献２）。
【０００９】
特許文献１では、ポケット案内面（保持器のボール接触部）に長孔を設けたものであり、ポケットの内周側に補助凹部を設けたものである。このように、長孔や凹部を設けることによって、案内面とボールとの接触面積を減らすことができる。
【先行技術文献】
【特許文献】
【００１０】
【特許文献１】実公昭４６−３４２４４号公報
【特許文献２】特開２００３−１３９６２号公報
【発明の概要】
【発明が解決しようとする課題】
【００１１】
前記特許文献１や特許文献２に記載のものでは、確かに、ポケット案内面（保持器のボール接触部）とボールとの接触面積を減らすことができる。しかしながら、長孔や凹部の大きさや形状等によっては低トルク効果を得ることができない場合がある。そこで、低トルク効果が最大限発揮できる保持器形状と寸法制約を明確にし、その形状によってどのような運転条件で低トルク効果が得られるかを把握する必要がある。さらには、その保持器形状の製造面についても考慮する必要がある。
【００１２】
本発明は、形状と寸法制約を明確にして、安価でありながら低トルク効果が付与できる保持器およびこのような保持器を組込んだ玉軸受（深溝玉軸受）を提供する。
【課題を解決するための手段】
【００１３】
本発明の保持器は、円周方向に沿って所定間隔で配設された半球状膨出部を有する２枚の環状保持板が組み合わされてなり、対向する半球状膨出部にてボールを保持するリング状のポケットが形成される保持器であって、ポケットのボール対向面におけるポケット軸方向中央部に、ポケット周方向に延びる凹部からなるボール非接触部を設け、このボール非接触部のポケット周方向長さをＡとし、前記ボールの直径をＢとし、ボールとポケットのボール対向面との間に形成されるすきまをＣとしたときに、Ａ／（Ｂ＋Ｃ）＝０．７０〜０．９０に設定したものである。このように、ポケットのボール対向面に凹部からなるボール非接触部を設けたことによって、ボール対向面に、案内面となるボール接触部と、案内面とならないボール非接触部とが形成される。なお、前記すきまとは、ボールをポケットの中で片側に寄せた時の、ボールとポケット案内面との間の隙間である。
【００１４】
ところで、ポケット軸方向中央部に、ポケット周方向に延びる凹部を設けた場合、この凹部のポケット周方向長さを長くすれば接触するすべり面積が小さくなり、せん断抵抗の低減に繋がる。しかしながら、「ポケット周方向長さ」を長くし過ぎると、ボールとポケットとの接触が案内面（ボール接触部）ではなく、案内面と凹部との境目となる。このように、境目で接触すると、油膜形成が著しく低下し、表面損傷の懸念がある。すなわち、「ポケット周方向長さ」はポケット内でのボールの動きを含めても、ボールをポケット案内面（ボール接触部）で保持できる範囲内で出来るだけ大きな寸法とするのが好ましい。
【００１５】
そこで、本願発明では、ボール非接触部のポケット周方向長さをＡとし、前記ボールの直径をＢとし、ボールとポケットのボール対向面との間に形成されるすきまをＣとしたときに、Ａ／（Ｂ＋Ｃ）＝０．７０〜０．９０に設定している。これによって、軸受としての機能を満足しつつ、最大限の低トルク効果が発揮できる。
【００１６】
「ポケット軸方向長さ」を大きくすれば接触するすべり面積が小さくなり、せん断抵抗の低減に繋がる。ところで、保持器として、金属製であってプレス加工にて成形する場合があり、このようにプレス加工する場合、「ポケット軸方向長さ」を大きくし過ぎると製造上困難となり、製造面での懸念がある。すなわち、プレス加工しても、ポケット形状崩れが発生しない範囲内で、出来るだけ「ポケット軸方向長さ」を大きな寸法とする必要がある。
【００１７】
そこで、ボール非接触部のポケット軸方向長さをＤとし、ポケットの軸方向全長さをＥとしたときに、Ｄ／Ｅ＝０．２５〜０．４０に設定するのが好ましい。
【００１８】
凹部の深さとしては、表面粗さ水準より大きなスキマを設けることになれば、せん断抵抗を「０」にすることが可能である。しかし、保持器へのプレス加工精度を考慮すると、凹部の深さは余りにも小さ過ぎると寸法を確保することができない。逆に、凹部の深さが大き過ぎると、プレス加工でのポケット形状崩れが懸念される。
【００１９】
そこで、ボール非接触部を構成する凹部の深さをＦとし、環状保持板の半球状膨出部の肉厚をＧとしたときに、Ｆ／Ｇ＝０．３０〜０．４０に設定するのが好ましい。
【００２０】
凹部のポケット軸方向中心位置が、ボールの中心よりもポケット軸方向にずれれば、バランスが悪くなりプレス加工時の形状崩れの原因となる。このため、ポケットの軸方向全長さをＥとし、ボール中心に対するボール非接触部の中央の軸方向ずれ量をＨとしたきに、Ｈ／（Ｅ／２）＝０〜０．２に設定するのが好ましい。
【００２１】
また、凹部とポケット案内面（ボール接触部）との境目にボールが接触してしまうと、油膜形成能力が著しく低下する。そこで、前記したように、凹部は境目でボールが接触しないような寸法関係とするのが好ましい。しかしながら、設計上で接触しないように設定したにもかかわらず接触した場合において直ぐに損傷しないように、境目形状はエッジではなく、アール形状とするのが好ましい。
【００２２】
前記ボール非接触部を全ポケットに設けたものであってもよい。また、保持器として、
金属製であってプレス加工に成型されてなるものであっても、樹脂製であって射出成型にて成型されてなるものであってもよい。
【００２３】
本発明の玉軸受は、内周に外側転走面が形成された外輪と、外周に内側転走面が形成された内輪と、内側転走面と外側転走面との間を転動する複数のボールと、内輪と外輪との間に配置された前記保持器とを備えたものである。
【００２４】
玉軸受として、自動車の動力伝達軸の支持用に適用されるものであっても、２輪車に用いられる軸の支持用に適用されるものであってもよい。
【発明の効果】
【００２５】
本発明の保持器は、この保持器を用いた軸受（玉軸受）において、軸受としての機能を満足しつつ、最大限の低トルク効果を発揮でき、噴霧や跳ね掛け等の潤滑油量が少ない状態で使用して場合に特にトルク低減効果を得ることができ、省燃費化を達成できる。
【００２６】
Ｄ／Ｅ＝０．２５〜０．４０に設定したり、Ｆ／Ｇ＝０．３０〜０．４０に設定したりすることによって、製造性に優れ、しかも低トルク効果を有効に発揮できる。凹部のポケット軸方向開口縁をアール形状とすれば、ボールがこの開口縁に接触しても、損傷しにくいものとなっている。Ｈ／（Ｅ／２）＝０〜０．２に設定することによって、バランス性に優れ、プレス加工時の形状崩れ等を有効に防止でき、高品質の軸受を提供できる。
【００２７】
全ポケットにボール非接触部を設けることによって、この保持器を用いた軸受では、全体として低トルク化を図ることができる。保持器は全体形状が比較的単純であり、プレス加工等で成型することができ、低コスト化を図ることができる。
【００２８】
保持器を用いた軸受（玉軸受）のトルクを低減させることができ、この保持器を用いた軸受を自動車に使用すれば、燃費向上で環境に優しい運転が可能となる。すなわち、この軸受は自動車の動力伝達軸の支持用や２輪車に用いられる軸の支持用に最適となる。
【図面の簡単な説明】
【００２９】
【図１】本発明の実施形態を示す軸受の断面図である。
【図２】前記図１のＷ−Ｗ線拡大断面図である。
【図３】前記保持器のポケットを内部側から見た斜視図である。
【図４】前記保持器のポケットを外部側から見た斜視図である。
【図５】前記保持器の要部拡大断面図である。
【図６】前記保持器の要部拡大断面図である。
【図７】前記保持器のポケットの要部拡大断面図である。
【図８】従来の玉軸受の断面図である。
【図９】従来の保持器の斜視図である。
【発明を実施するための形態】
【００３０】
以下、本発明の実施形態を図面に従って説明する。
【００３１】
図１は、実施形態の保持器（玉軸受用保持器）を用いた軸受（深溝玉軸受）を示す。この玉軸受は、内周に円弧状の外側転走面１１が形成された外輪１２と、外周にこの外側転走面１１に対向する円弧状の内側転走面１３が形成された内輪１４と、外側転走面１１と内側転走面１３との間に収容された複数のボール１６と、ボール１６を転動自在に支持する本発明に係る保持器１５とを備える。
【００３２】
外輪１２、内輪１４、及びボール１６は、例えば、ＳＵＪ２等の高炭素クロム軸受鋼からなり、保持器１５は、例えば、冷間圧延鋼（ＪＩＳ規格のＳＰＣＣ系等）の帯鋼のプレス加工品である。
【００３３】
保持器１５を図１のＷ-Ｗ断面で示した図２に示すように、円周方向に沿って所定間隔で配設された半球状膨出部２６を有する２枚の環状保持板２７Ａ，２７Ｂが組み合わされてなる。すなわち、各環状保持板２７Ａ，２７Ｂは、円周方向に沿って配設される半球状膨出部２６と、隣合う半球状膨出部２６間の平坦部２８とからなる。組み合わされた状態で、平坦部２８、２８が重ね合わされ、この平坦部２８、２８がリベット等の固着具２９を介して連結される。このため、各半球状膨出部２６が対向して、リング状のボール嵌合部（ポケット）３０が形成される。
【００３４】
この軸受に好適な潤滑方法としては、油潤滑である。なお、潤滑油として、スピンドル油，マシン油，タ−ビン油などの鉱油を用いることができ、１５０℃以上の高温又は−３０℃以下の低温になる使用条件では，ジエステル油，シリコン油，フロロカ−ボン油などの合成油を用いることができる。
【００３５】
この保持器１５においては、図３等に示すように、ポケット３０のボール対向面にボール接触部３１とボール非接触部３２を設けている。すなわち、反ボール対向面に反ボール側へ突出する矩形状の凸部３３（図４参照）を形成することによって、ボール対向面にボール接触部３１よりも反ボール側へ凹む矩形状の凹部３４をポケット３０のボール対向面におけるポケット軸方向中央部にポケット周方向に延びるように設け、この凹部３４をもってボール非接触部３２を形成している。
【００３６】
図２に示すように、凹部３４にて構成されるボール非接触部３２のポケット周方向長さ（図３に示すポケット周方向の長さ）をＡとし、前記ボール１６の直径をＢとし、ボール１６とポケット３０のボール対向面との間に形成されるすきまをＣとしたときに、Ａ／（Ｂ＋Ｃ）＝０．７０〜０．９０に設定する。
【００３７】
また、図５に示すように、ボール非接触部３２のポケット軸方向長さ（図３に示すポケット軸方向の長さ）をＤとし、ポケット３０の軸方向全長さをＥとしたときに、Ｄ／Ｅ＝０．２５〜０．４０に設定する。さらに、ボール非接触部３２を構成する凹部３４の深さをＦとし、環状保持板２７Ａ(２７Ｂ)の半球状膨出部２６の肉厚をＧとしたときに、Ｆ／Ｇ＝０．３０〜０．４０に設定する。
【００３８】
ポケット３０の軸方向全長さをＥとし、図６に示すように、ボール中心Ｏに対するボール非接触部３２の中央の軸方向ずれ量をＨとしたきに、Ｈ／（Ｅ／２）＝０〜０．２に設定する。また、ボール非接触部３２を構成する凹部３４のポケット軸方向開口縁３５をアール形状とした。この場合、ポケット軸方向開口縁３５のアール（Ｒ）を０．０５〜０．３０ｍｍとした。
【００３９】
このように構成することによって、前記凹部３４を低トルク効果を得るための低トルク溝と呼ぶことができる。この低トルク溝は、溝幅（ポケット軸方向長さ：Ｄ）、溝深さ（凹部３４の深さ：Ｆ）、および溝長さ（ポケット周方向長さ：Ａ）の３要素で構成することができる。
【００４０】
ところで、ボール１６とポケット案内面間に作用するせん断抵抗は、図７に示す潤滑油粘度、滑り速度、すべり面積、すきまの４つの要素で構成される。この場合のニュートンの粘性法則によって表されるせん断抵抗は、次の数１に示す数式となる。
【数１】
2013200008.tif 000003
【００４１】
ηとｕは軸受の運転条件によって決まる。このため、その値を変更することはできない。その他、すべり面積Ｓは値を小さくすれば、せん断抵抗が小さくなることがいえる。このため、本願発明の「低トルク溝」を付けることで、ボール１６とのすべり面積が小さくなるので、せん断抵抗が小さくなるといえる。また、すきまｄに関しては、ｄ値を大きくすれば、せん断抵抗が小さくなることが分かる。通常のせん断抵抗が発生するｄのオーダーを確認すると、表面粗さ分程度のオーダーである為、マクロ的寸法で溝深さ（すきまｄ）を設定すればすきまは十分大きく、せん断抵抗を「０」とすることが可能である。
【００４２】
このため、「低トルク溝」におけるせん断抵抗を「０」となるように、前記したような溝部寸法に決定するのが好ましい。
【００４３】
この実施形態において、ポケット軸方向中央部に、ポケット周方向に延びる凹部３４を設けた場合、この凹部３４のポケット周方向長さを長くすれば接触するすべり面積が小さくなり、せん断抵抗の低減に繋がる。しかしながら、「ポケット周方向長さ」を長くし過ぎると、ボール１６とポケット３０との接触が案内面（ボール接触部３１）ではなく、案内面（ボール接触部３１）と凹部３４との境目となる。このように、境目で接触すると、油膜形成が著しく低下し、表面損傷の懸念がある。そこで、「ポケット周方向長さ」はポケット３０内でのボール１６の動きを含めても、ボール１６をポケット案内面で保持できる範囲内で出来るだけ大きな寸法とした。このため、Ａ／（Ｂ＋Ｃ）＝０．７０〜０．９０に設定した。これによって、軸受としての機能を満足しつつ、最大限の低トルク効果が発揮できる。
【００４４】
「ポケット軸方向長さ」を大きくすれば接触するすべり面積が小さくなり、せん断抵抗の低減に繋がる。この保持器としては、プレス加工で成形する場合があり、このようにプレス加工する場合。「ポケット軸方向長さ」を大きくし過ぎると製造上困難となり、製造面での懸念がある。そこで、プレス加工しても、ポケット形状崩れが発生しない範囲内で、できるだけ「ポケット軸方向長さ」を大きな寸法とする必要がある。このため、Ｄ／Ｅ＝０．２５〜０．４０に設定した。
【００４５】
凹部３４の深さは表面粗さ水準より大きなスキマを設ければ、せん断抵抗を「０」にすることが可能である。しかし、保持器１５へのプレス加工精度を考慮すると、凹部３４の深さは余りにも小さ過ぎると寸法を確保することができない。また、凹部３４の深さが大き過ぎると、プレス加工でのポケット形状崩れが懸念される。
【００４６】
そこで、ボール非接触部３２を構成する凹部３４の深さをＦとし、環状保持板２７Ａ(２７Ｂ)の半球状膨出部２６，２６の肉厚をＧとしたときに、Ｆ／Ｇ＝０．３０〜０．４０に設定した。
【００４７】
凹部３４のポケット軸方向中心位置が、ボール１６の中心Ｏよりもポケット軸方向にずれれば、バランスが悪くなりプレス加工時の形状崩れの原因となる。このため、ポケット３０の軸方向全長さをＥとし、ボール中心Ｏに対するボール非接触部３２の中央の軸方向ずれ量をＨとしたきに、Ｈ／（Ｅ／２）＝０〜０．２に設定した。
【００４８】
また、凹部３４とポケット案内面（ボール接触部３１）との境目にボール１６が接触してしまうと、油膜形成能力が著しく低下する。そこで、凹部３４は境目でボール１６が接触しないような寸法関係とするのが好ましい。しかしながら、設計上で接触しないように設定したにもかかわらず接触した場合において直ぐに損傷しないように、境目形状はエッジではなく、アール形状とした。
【００４９】
ところで、このようなボール非接触部３２として、保持器１５の全ポケット３０に設けても、任意のポケット３０のみに設けてもいい。全ポケット３０にボール非接触部３２を設けることによって、この保持器１５を用いた軸受では、全体として低トルク化を図ることができる。
【００５０】
このように、前記保持器を用いた軸受（玉軸受）では、軸受としての機能を満足しつつ、最大限の低トルク効果を発揮でき、噴霧や跳ね掛け等の潤滑油量が少ない状態で使用して場合に特にトルク低減効果を得ることができ、省燃費化を達成できる。
【００５１】
Ｄ／Ｅ＝０．２５〜０．４０に設定したり、Ｆ／Ｇ＝０．３０〜０．４０に設定したりすることによって、製造性に優れ、しかも低トルク効果を有効に発揮できる。凹部のポケット軸方向開口縁をアール形状とすれば、ボールがこの開口縁に接触しても、損傷しにくいものとなっている。Ｈ／（Ｅ／２）＝０〜０．２に設定することによって、バランス性に優れ、プレス加工時の形状崩れ等を有効に防止でき、高品質の軸受を提供できる。
【００５２】
全ポケット３０にボール非接触部３２を設けることによって、この保持器１５を用いた軸受では、全体として低トルク化を図ることができる。保持器１５として、全体形状が比較的単純であり、プレス加工等にて成型することができ、低コスト化を図ることができる。すなわち、この種の保持器成形における従来からのプレス加工に対してその一部のみの変更で成形することができ、低コスト化を図ることができる。また、従来より、保持器の最弱部であったすみＲ部（環状保持板の半球状膨出部と平坦部との間のコーナ部）の形状を従来形状に対して変更しないものであり、強度低下を招かない。
【００５３】
このように、軸受サイズ、内部諸元の変更なく、トルク低減効果が得られる玉軸受（深溝玉軸受）を安価で強度低下無しで提供することができる。このため、この保持器１５を用いた軸受を自動車に使用すれば、燃費向上で環境に優しい運転が可能となる。すなわち、この軸受は自動車の動力伝達軸の支持用や２輪車に用いられる軸の支持用に最適となる。
【００５４】
ところで、保持器１５は、前記各実施形態ではプレス加工による金属製保持器である。  
【００５５】
以上、本発明の実施形態につき説明したが、本発明は前記実施形態に限定されることなく種々の変形が可能であって、保持器１５としては、金属製保持器に限るものではなく、合成樹脂の成形品であってもよい。樹脂製保持器の樹脂材料は、この種の保持器に従来から使用されるもの、例えば、ポリフェニレンサルファイド樹脂（以下、ＰＰＳ樹脂と称する）やポリアミド４６（ＰＡ４６）やポリアミド６６（ＰＡ６６）が用いられる。
【００５６】
この樹脂製保持器は、例えば射出成型にて成型することができる。なお、樹脂製保持器であっても削り加工にて成型してもよい。このような樹脂製保持器であっても、図１に示すような金属製保持器と同様の作用効果を奏する。また、保持器１５に設けられるポケット数としても任意に設定でき、ボール１６としてもセラミックス(窒化珪素Ｓｉ3Ｎ4、アルミナＡｌ2Ｏ3)としてもよい。
【００５７】
このため、保持器として、金属製であっても、樹脂製であっても、確実に形成することができ、成型方法としても、金属製であれば、プレス加工や鋳造にて成型することができ、樹脂製であれば射出成型にて成型することができ、従来から一般に用いられている種々の成型方法で成型でき、低コスト化を図ることができる。
【実施例】
【００５８】
ポケット３０にボール非接触部３２を有する保持器を用いた軸受（深溝玉軸受）と、ポケット３０にボール非接触部を有さない従来の保持器（図９に示す保持器）を用いた軸受（深溝玉軸受）（従来品）とについて、トルク測定を行った。軸受としては、内径φ３５ｍｍ、外径φ７２ｍｍ、幅１７ｍｍ（ＮＴＮ社製：軸受番号６２０７）を使用した。ラジアル荷重を５００Ｎとし、回転速度を１０００ｒ／ｍｉｎ、２０００ｒ／ｍｉｎとし、潤滑油種をＡＴＦとし、潤滑油温度を３０℃とし、動粘度を２９．６ｍｍ2／ｓ（４０℃）、７．０７ｍｍ2／ｓ（１００℃）とし、密度を０．８７ｇ／ｃｍ3とした。油面高さレベルとして最下位ボール中心とした。また、発明品における保持器寸法として、Ａ／（Ｂ＋Ｃ）＝０．７７とし、Ｄ／Ｅ＝０．３３とし、Ｆ／Ｇ＝０．３３とし、Ｒ＝０．２ｍｍとした。
【００５９】
前記トルク測定条件を第１条件とし、このトルク測定条件によるトルク測定結果（従来品に対するボール非接触部を有する保持器を用いた軸受のトルク低減率）を次の表１に示す。また、油面高さレベルを最下位ボールが浸漬させる高さとし、他の条件を前記第１の条件と同じとしたものを第２条件とし、このトルク測定条件によるトルク測定結果（従来品に対するボール非接触部を有する保持器を用いた軸受のトルク低減率）を次の表２に示す。
【表１】
2013200008.tif 000004
【００６０】
【表２】
2013200008.tif 000005
【００６１】
第２条件では、潤滑油による攪拌抵抗の割合が軸受トルクの大半を占めることになり、ボール非接触部を有する保持器によるトルク低減効果が現れない結果となる。すなわち、潤滑油が多い状態では、ボール非接触部によるトルク低減効果を奏することができない。これに対して、本願発明の保持器形状では、第１条件のような潤滑油が「噴霧または跳ね掛け」など潤滑油量が少ない状態での使用により、低トルク効果が現れる。このため、実機使用を考えると、デファレンシャル支持用やトランスミッション支持用など自動車の動力伝達軸を支持する軸受の潤滑環境は、省燃費化のため、潤滑油量が削減される傾向にあることから、これら支持用軸受に好適である。これ以外にも、２輪車のクランク・カム・トランスミッションでは潤滑油量が第１条件のように少ない為、各軸支持への適用が好適である。
【符号の説明】
【００６２】
１１   外側転走面
１２   外輪
１３   内側転走面
１４   内輪
１５   保持器
１６   ボール
２６   半球状膨出部
２７Ａ，２７Ｂ       環状保持板
３２   ボール非接触部
３４   凹部
３５   ポケット軸方向開口縁
【図１】
2013200008.tif 000006
【図２】
2013200008.tif 000007
【図３】
2013200008.tif 000008
【図４】
2013200008.tif 000009
【図５】
2013200008.tif 000010
【図６】
2013200008.tif 000011
【図７】
2013200008.tif 000012
【図８】
2013200008.tif 000013
【図９】
2013200008.tif 000014